(57)【要約】【課題】収納袋の開口を封止する封止処理を適切に行うことができる紙葉類処理装置および紙葉類処理方法を提供する。【解決手段】紙葉類処理装置（例えば、紙幣処理装置２０）は、収納袋３４における開口近傍の箇所を保持する保持部（例えば、各保持部材３６）と、保持部により保持される収納袋３４の開口を封止する封止部（例えば、各加熱部材３８）と、略鉛直方向に移動可能となっており、保持部により保持される収納袋３４の少なくとも一部が載置される載置部（例えば、各ステージ４０）とを備えており、封止処理が行われる際に、保持部により保持される収納袋３４の少なくとも一部が載置されている載置部を上昇させるようになっている。【選択図】図３
2018181137.tif 000002
【特許請求の範囲】
【請求項１】
開口が設けられた収納袋の内部に紙葉類を収納させる紙葉類処理装置であって、
前記収納袋における前記開口近傍の箇所を保持する保持部と、
前記保持部により保持される前記収納袋の前記開口を封止する封止部と、
略鉛直方向に移動可能となっており、前記保持部により保持される前記収納袋の少なくとも一部が載置される載置部と、
前記載置部を略鉛直方向に移動させる駆動部と、
前記保持部により保持される前記収納袋の前記開口を前記封止部により封止する封止処理が行われる際に、前記保持部により保持される前記収納袋の少なくとも一部が載置されている前記載置部を上昇させるよう前記駆動部を制御する制御部と、
を備えた、紙葉類処理装置。
【請求項２】
前記制御部は、前記保持部により保持される前記収納袋の前記開口が前記封止部により封止される前に、前記載置部を上昇させるよう前記駆動部を制御する、請求項１記載の紙葉類処理装置。
【請求項３】
前記保持部は一対の保持部材を有しており、少なくとも一つの前記保持部材は他の前記保持部材に接近する方向および離間する方向にそれぞれ移動可能となっており、各前記保持部材が互いに接近したときに各前記保持部材の間に前記収納袋が挟まれるようになっており、
前記封止部は、各前記保持部材の間に挟まれた状態の前記収納袋の前記開口を封止するようになっており、
前記制御部は、前記保持部により保持される前記収納袋の少なくとも一部が載置されている前記載置部を、各前記保持部材の間に前記収納袋を挟む前に上昇させるよう前記駆動部を制御する、請求項２記載の紙葉類処理装置。
【請求項４】
前記載置部は一対の載置部材を有しており、少なくとも一つの前記載置部材は他の前記載置部材に接近する方向および離間する方向にそれぞれ移動可能となっており、各前記載置部材が互いに接近したときに各前記載置部材の間に前記収納袋が挟まれるようになっており、
前記制御部は、前記保持部により保持される前記収納袋の少なくとも一部が載置されている前記載置部を、各前記載置部材の間に前記収納袋を挟んだ後に上昇させるよう前記駆動部を制御する、請求項３記載の紙葉類処理装置。
【請求項５】
前記制御部は、各前記保持部材の間に前記収納袋が挟まれない程度に各前記保持部材の間の距離が小さくなるよう少なくとも一方の前記保持部材を他の前記保持部材に接近する方向に移動させ、その後に前記載置部を上昇させるよう前記駆動部を制御する、請求項３または４記載の紙葉類処理装置。
【請求項６】
前記保持部は一対の保持部材を有しており、少なくとも一つの前記保持部材は他の前記保持部材に接近する方向および離間する方向にそれぞれ移動可能となっており、各前記保持部材が互いに接近したときに各前記保持部材の間に前記収納袋が挟まれるようになっており、
前記封止部は、各前記保持部材の間に挟まれた状態の前記収納袋の前記開口を封止するようになっており、
前記制御部は、前記保持部により保持される前記収納袋の少なくとも一部が載置されている前記載置部を、各前記保持部材の間に前記収納袋を挟んだ後に上昇させるよう前記駆動部を制御する、請求項２記載の紙葉類処理装置。
【請求項７】
前記制御部は、前記保持部により保持される前記収納袋の少なくとも一部が載置されている前記載置部を、各前記保持部材の間に前記収納袋を挟む前に上昇させ、その後に各前記保持部材の間に前記収納袋を挟み、各前記保持部材の間に前記収納袋を挟んだ後に前記載置部を更に上昇させるよう前記駆動部を制御する、請求項６記載の紙葉類処理装置。
【請求項８】
前記制御部は、前記保持部により保持される前記収納袋の前記開口が前記封止部により封止された後に、前記載置部を上昇させるよう前記駆動部を制御する、請求項１記載の紙葉類処理装置。
【請求項９】
前記載置部は一対の載置部材を有しており、少なくとも一つの前記載置部材は他の前記載置部材に接近する方向および離間する方向にそれぞれ移動可能となっており、各前記載置部材が互いに接近したときに各前記載置部材の間に前記収納袋が挟まれるようになっており、
前記制御部は、前記保持部により保持される前記収納袋の前記開口を前記封止部により封止した後、各前記載置部材が互いに離間した後に前記載置部を上昇させるよう前記駆動部を制御する、請求項８記載の紙葉類処理装置。
【請求項１０】
前記収納袋に紙葉類を収納したときに底部となる箇所を熱により接着させて封止する熱接着部材が設けられており、
前記収納袋の前記底部となる箇所が前記熱接着部材により封止された後に各前記載置部材が互いに離間するようになっている、請求項９記載の紙葉類処理装置。
【請求項１１】
前記保持部により保持される前記収納袋の前記開口が前記封止部により封止された後に、前記収納袋の前記底部となる箇所が前記熱接着部材により封止されるようになっている、請求項１０記載の紙葉類処理装置。
【請求項１２】
前記制御部は、前記載置部を下降させた後、当該載置部を上昇させるよう前記駆動部を制御する、請求項１乃至１１のいずれか一項に記載の紙葉類処理装置。
【請求項１３】
開口が設けられた収納袋の内部に紙葉類を収納させる紙葉類処理方法であって、
前記収納袋における前記開口近傍の箇所を保持部により保持させ、この際に、前記保持部により保持される前記収納袋の少なくとも一部を、略鉛直方向に移動可能となっている載置部に載置する工程と、
前記保持部により保持される前記収納袋の内部に紙葉類を収納させる工程と、
前記保持部により保持される前記収納袋の前記開口を封止する封止処理を行う工程と、
を備え、
前記封止処理が行われる際に、前記保持部により保持される前記収納袋の少なくとも一部が載置されている前記載置部を上昇させる、紙葉類処理方法。
【発明の詳細な説明】
【技術分野】
【０００１】
本発明は、開口が設けられた収納袋の内部に紙葉類を収納させる紙葉類処理装置および紙葉類処理方法に関する。
【背景技術】
【０００２】
紙幣等の紙葉類の入金処理を行う紙葉類処理装置において、機体内に取り込まれた紙葉類をパウチ袋等の収納袋に収納させるようなタイプのものが従来から用いられている。このような紙葉類処理装置は、例えばスーパーマーケット等の店舗におけるバックヤード領域に設置される現金出納機の一部として用いられるようになっており、当該現金出納機は、フロント領域に設けられた現金精算機へ装填するための釣銭準備金としての貨幣を出金したり、現金精算機から回収した売上金としての貨幣を入金したりするようになっている。このような紙葉類処理装置としては例えば特許文献１等に開示されるものが知られている。
【０００３】
特許文献１に開示される紙幣処理装置では、一方に開口が設けられた収納袋の内部に紙幣を積層状態で収納させるための紙幣収納機構が設けられている。より詳細には、紙幣収納機構には、一対の保持部材が互いに対向するよう離間して設けられており、収納袋の開口近傍における互いに対向する２つの箇所が各保持部材によりそれぞれ保持されるようになっている。また、各保持部材にはそれぞれ加熱部材が設けられている。そして、紙幣収納機構において各保持部材により保持された収納袋に所定量の紙幣が積層状態で収納された後、当該収納袋が紙幣収納機構から取り出される前に、一方の保持部材が他方の保持部材に向かって移動してこれらの保持部材が互いに接した状態で、加熱部材によって収納袋の開口近傍の箇所に熱が与えられることにより当該収納袋の開口はヒートシール（熱封止）されるようになっている。また、紙幣収納機構には、一対の保持部材により保持される収納袋の底部が載置されるステージが設けられている。そして、一対の保持部材により保持される収納袋に紙幣が収納される度にステージが少しずつ下降することにより、収納袋の内部における紙幣を収納するスペースが確保されるようになる。
【先行技術文献】
【特許文献】
【０００４】
【特許文献１】国際特許出願公開公報ＷＯ２０１６／１３６５１７
【発明の概要】
【発明が解決しようとする課題】
【０００５】
特許文献１に開示される紙幣処理装置では、収納袋に大量の紙幣が収納されている場合には、収納袋の開口付近に収納紙幣の負荷がかかり、当該収納袋の端部が垂れ下がってしまうおそれがある。収納袋の端部が垂れ下がってしまうと、収納袋の開口を熱封止する際にシール不良が発生してしまうという問題がある。また、収納紙幣の負荷が収納袋にかかると、収納袋にかかるテンションが大きくなってしまい、収納袋の開口を適切に熱封止できなくなってしまうおそれがある。収納袋の開口を粘着剤によりシールする紙幣処理装置においても同様の課題がある。
【０００６】
本発明は、このような点を考慮してなされたものであり、収納袋の開口を封止する封止処理を適切に行うことができる紙葉類処理装置および紙葉類処理方法を提供することを目的とする。
【課題を解決するための手段】
【０００７】
本発明の紙葉類処理装置は、開口が設けられた収納袋の内部に紙葉類を収納させる紙葉類処理装置であって、前記収納袋における前記開口近傍の箇所を保持する保持部と、前記保持部により保持される前記収納袋の前記開口を封止する封止部と、略鉛直方向に移動可能となっており、前記保持部により保持される前記収納袋の少なくとも一部が載置される載置部と、前記載置部を略鉛直方向に移動させる駆動部と、前記保持部により保持される前記収納袋の前記開口を前記封止部により封止する封止処理が行われる際に、前記保持部により保持される前記収納袋の少なくとも一部が載置されている前記載置部を上昇させるよう前記駆動部を制御する制御部と、を備えたことを特徴とする。
【０００８】
このような紙葉類処理装置によれば、収納袋の開口を封止する封止処理が行われる際に、収納袋の少なくとも一部が載置されている載置部を上昇させることにより、鉛直方向における保持部により保持される収納袋の上端と収納袋に紙葉類を収納したときに底部となる箇所との間の距離を小さくすることができるため、封止処理を適切に行うことができる。
【０００９】
本発明の紙葉類処理装置においては、前記制御部は、前記保持部により保持される前記収納袋の前記開口が前記封止部により封止される前に、前記載置部を上昇させるよう前記駆動部を制御するようになっていてもよい。
【００１０】
この場合、前記保持部は一対の保持部材を有しており、少なくとも一つの前記保持部材は他の前記保持部材に接近する方向および離間する方向にそれぞれ移動可能となっており、各前記保持部材が互いに接近したときに各前記保持部材の間に前記収納袋が挟まれるようになっており、前記封止部は、各前記保持部材の間に挟まれた状態の前記収納袋の前記開口を封止するようになっており、前記制御部は、前記保持部により保持される前記収納袋の少なくとも一部が載置されている前記載置部を、各前記保持部材の間に前記収納袋を挟む前に上昇させるよう前記駆動部を制御するようになっていてもよい。
【００１１】
また、前記載置部は一対の載置部材を有しており、少なくとも一つの前記載置部材は他の前記載置部材に接近する方向および離間する方向にそれぞれ移動可能となっており、各前記載置部材が互いに接近したときに各前記載置部材の間に前記収納袋が挟まれるようになっており、前記制御部は、前記保持部により保持される前記収納袋の少なくとも一部が載置されている前記載置部を、各前記載置部材の間に前記収納袋を挟んだ後に上昇させるよう前記駆動部を制御するようになっていてもよい。
【００１２】
また、前記制御部は、各前記保持部材の間に前記収納袋が挟まれない程度に各前記保持部材の間の距離が小さくなるよう少なくとも一方の前記保持部材を他の前記保持部材に接近する方向に移動させ、その後に前記載置部を上昇させるよう前記駆動部を制御するようになっていてもよい。
【００１３】
また、前記保持部は一対の保持部材を有しており、少なくとも一つの前記保持部材は他の前記保持部材に接近する方向および離間する方向にそれぞれ移動可能となっており、各前記保持部材が互いに接近したときに各前記保持部材の間に前記収納袋が挟まれるようになっており、前記封止部は、各前記保持部材の間に挟まれた状態の前記収納袋の前記開口を封止するようになっており、前記制御部は、前記保持部により保持される前記収納袋の少なくとも一部が載置されている前記載置部を、各前記保持部材の間に前記収納袋を挟んだ後に上昇させるよう前記駆動部を制御するようになっていてもよい。
【００１４】
この場合、前記制御部は、前記保持部により保持される前記収納袋の少なくとも一部が載置されている前記載置部を、各前記保持部材の間に前記収納袋を挟む前に上昇させ、その後に各前記保持部材の間に前記収納袋を挟み、各前記保持部材の間に前記収納袋を挟んだ後に前記載置部を更に上昇させるよう前記駆動部を制御するようになっていてもよい。
【００１５】
本発明の紙葉類処理装置においては、前記制御部は、前記保持部により保持される前記収納袋の前記開口が前記封止部により封止された後に、前記載置部を上昇させるよう前記駆動部を制御するようになっていてもよい。
【００１６】
この場合、前記載置部は一対の載置部材を有しており、少なくとも一つの前記載置部材は他の前記載置部材に接近する方向および離間する方向にそれぞれ移動可能となっており、各前記載置部材が互いに接近したときに各前記載置部材の間に前記収納袋が挟まれるようになっており、前記制御部は、前記保持部により保持される前記収納袋の前記開口を前記封止部により封止した後、各前記載置部材が互いに離間した後に前記載置部を上昇させるよう前記駆動部を制御するようになっていてもよい。
【００１７】
また、前記収納袋に紙葉類を収納したときに底部となる箇所を熱により接着させて封止する熱接着部材が設けられており、前記収納袋の前記底部となる箇所が前記熱接着部材により封止された後に各前記載置部材が互いに離間するようになっていてもよい。
【００１８】
また、前記保持部により保持される前記収納袋の前記開口が前記封止部により封止された後に、前記収納袋の前記底部となる箇所が前記熱接着部材により封止されるようになっていてもよい。
【００１９】
本発明の紙葉類処理装置においては、前記制御部は、前記載置部を下降させた後、当該載置部を上昇させるよう前記駆動部を制御するようになっていてもよい。
【００２０】
本発明の紙葉類処理方法は、開口が設けられた収納袋の内部に紙葉類を収納させる紙葉類処理方法であって、前記収納袋における前記開口近傍の箇所を保持部により保持させ、この際に、前記保持部により保持される前記収納袋の少なくとも一部を、略鉛直方向に移動可能となっている載置部に載置する工程と、前記保持部により保持される前記収納袋の内部に紙葉類を収納させる工程と、前記保持部により保持される前記収納袋の前記開口を封止する封止処理を行う工程と、を備え、前記封止処理が行われる際に、前記保持部により保持される前記収納袋の少なくとも一部が載置されている前記載置部を上昇させることを特徴とする。
【００２１】
このような紙葉類処理方法によれば、収納袋の開口を封止する封止処理が行われる際に、収納袋の少なくとも一部が載置されている載置部を上昇させることにより、鉛直方向における保持部により保持される収納袋の上端と収納袋に紙葉類を収納したときに底部となる箇所との間の距離を小さくすることができるため、封止処理を適切に行うことができる。
【発明の効果】
【００２２】
本発明の紙葉類処理装置および紙葉類処理方法によれば、収納袋の開口を封止する封止処理を適切に行うことができる。
【図面の簡単な説明】
【００２３】
【図１】本発明の実施の形態における貨幣処理機の外観を示す斜視図である。
【図２】図１に示す貨幣処理機における紙幣処理装置の内部構成を示す側面図である。
【図３】図２に示す紙幣処理装置における紙幣収納機構の構成の詳細を示す側面図である。
【図４】図３に示す紙幣収納機構における一対の保持部材等の構成を示す斜視図である。
【図５】図３等に示す紙幣収納機構において各保持部材により保持されるべき収納袋の構成を示す斜視図である。
【図６】図３等に示す紙幣収納機構の各保持部材により収納袋を保持させたときの状態を示す斜視図である。
【図７】図６に示す収納袋に紙幣が収納されることにより当該収納袋の開口付近の端部が垂れ下がってしまったときの状態を示す斜視図である。
【図８】図２等に示す紙幣処理装置の制御系の構成を示す機能ブロック図である。
【図９】（ａ）〜（ｆ）は、図３等に示す紙幣収納機構において紙幣が収納された収納袋の開口の封止を行うときの動作を順に示す説明図である。
【図１０】（ａ）〜（ｅ）は、図９（ｆ）に示す状態から引き続く、図３等に示す紙幣収納機構において紙幣が収納された収納袋の開口の封止を行うときの動作を順に示す説明図である。
【図１１】（ａ）〜（ｆ）は、変形例に係る紙幣収納機構において紙幣が収納された収納袋の開口の封止を行うときの動作を順に示す説明図である。
【図１２】（ａ）〜（ｅ）は、図１１（ｆ）に示す状態から引き続く、変形例に係る紙幣収納機構において紙幣が収納された収納袋の開口の封止を行うときの動作を順に示す説明図である。
【発明を実施するための形態】
【００２４】
以下、本発明の実施の形態において、本発明に係る紙葉類処理装置として紙幣の処理を行う紙幣処理装置が用いられる場合について説明する。また本実施の形態では、紙幣処理装置および硬貨処理装置が組み合わせられた貨幣処理機についても説明する。図１乃至図１０は、本実施の形態に係る紙幣処理装置およびこの紙幣処理装置を備えた貨幣処理機を示す図である。
【００２５】
まず、図１を用いて本実施の形態における貨幣処理機１の構成について説明する。一般的に、スーパーマーケット等の店舗は、フロント領域とバックヤード領域とに区分けされる。フロント領域は、商品が陳列され、店員が顧客との間で実際に商品を購入する取引を行う領域である。バックヤード領域は、フロント領域とは区画され、貨幣や商品を管理する領域である。フロント領域には一または複数の貨幣精算機（例えば、貨幣釣銭機）が設置されているとともに、バックヤード領域には図１に示すような貨幣処理機１が設置されている。ここで、貨幣精算機は、店員によって操作されるようになっており、店員と顧客との間の精算処理が当該貨幣精算機によって行われる。例えば、貨幣精算機は、顧客が支払った代金を入金したり、顧客へ支払う釣銭を出金したりするようになっている。また、貨幣処理機１は、貨幣精算機へ装填するための釣銭準備金を出金したり、貨幣精算機から回収した売上金を入金したりするようになっている。そして、貨幣精算機の紙幣処理装置（図示せず）および貨幣処理機１の紙幣処理装置２０（後述）にそれぞれ着脱可能となっている紙幣収納カセット（具体的には、複数の紙幣が内部に収納されるともに収納されている紙幣を繰り出し可能となっている紙幣収納カセット）により、貨幣精算機と貨幣処理機１との間で紙幣の授受を行うようになっている。なお、紙幣収納カセットは、貨幣精算機の紙幣処理装置（図示せず）や貨幣処理機１の紙幣処理装置２０（後述）から離脱しているときには当該紙幣収納カセット内に収納された紙幣を取り出せないようになっている。
【００２６】
図１に示すように、バックヤード領域に設置される貨幣処理機１は、紙幣処理装置２０および硬貨処理装置９０を備えている。紙幣処理装置２０は、フロント領域に設置された貨幣精算機へ装填する紙幣を出金したり、貨幣精算機から回収した紙幣を入金したりするようになっている。また、硬貨処理装置９０は、フロント領域に設置された貨幣精算機へ装填する硬貨を出金したり、貨幣精算機から回収した硬貨を入金したりするようになっている。
【００２７】
次に、図１および図２を用いて紙幣処理装置２０の構成について説明する。なお、図２における筐体２０ａ（後述）の右側の側面が紙幣処理装置２０の前面側（すなわち、図１に示すように紙幣処理装置２０を手前側から見たときの正面側）となっており、図２における左方向が筐体２０ａの奥行き方向となっている。
【００２８】
図１に示すように、紙幣処理装置２０は、筐体２０ａと、投入部２１と、投出部２２と、操作表示部２９とを備えており、投入部２１には、紙幣受入ユニット２１ａが着脱自在に装着されている。ここで、紙幣受入ユニット２１ａは、紙幣処理装置２０の外部から紙幣を受け入れて１枚ずつ紙幣繰出機構２１ｂにより筐体２０ａの内部に繰り出すようになっている。このような紙幣受入ユニット２１ａは、操作者（すなわち、店員）が紙幣処理装置２０へ紙幣を手動で入金する場合に用いられるようになっている。また、投入部２１には、紙幣受入ユニット２１ａの代わりに、上述した紙幣収納カセットを装着することができるようになっている。この場合には、紙幣収納カセットが投入部２１に装着されたときに、この紙幣収納カセットの内部に設けられた繰出機構により紙幣収納カセット内の紙幣が１枚ずつ筐体２０ａの内部に繰り出されるようになっている。また、投出部２２は、収納繰出部２５（後述）から繰り出された紙幣を積層状態で集積するようになっており、投出部２２に集積された紙幣は、筐体２０ａの外部からアクセスすることができるようになっている。
【００２９】
また、操作表示部２９は、貨幣処理機１における紙幣や硬貨の収納状態等の様々な情報を表示するとともに、操作者がデータを入力することができるように構成されている。操作表示部２９は、例えばタッチパネル式のディスプレイ等から構成されている。なお、操作表示部２９は、紙幣処理装置２０または硬貨処理装置９０のいずれか一方に設けられ、それらの両方の情報を表示するために共通に用いられるようになっている。
【００３０】
図２に示すように、紙幣処理装置２０の筐体２０ａの内部には紙幣を１枚ずつ搬送する搬送部２３が設けられており、この搬送部２３の端部２３ａに上述した投入部２１が接続されている。そして、紙幣受入ユニット２１ａが投入部２１に装着されたときに、当該紙幣受入ユニット２１ａから繰り出された紙幣は搬送部２３の端部２３ａを介して当該搬送部２３により搬送されるようになっている。また、図２に示すように、搬送部２３には識別部２４が設けられており、この識別部２４によって、搬送部２３により搬送される紙幣の金種、正損、真偽等の識別を行うようになっている。具体的には、識別部２４はイメージセンサや磁気センサ、厚みセンサ等を有している。ここで、イメージセンサは搬送部２３を搬送される紙幣を撮像するようになっており、撮像された紙幣の画像に基づいて当該紙幣の金種等の識別を行うようになっている。
【００３１】
また、図２に示すように、紙幣処理装置２０には、機外リジェクト部２７および機内リジェクト部２８がそれぞれ設けられている。ここで、機外リジェクト部２７には、投入部２１により筐体２０ａ内に投入された紙幣のうち識別部２４により正常な紙幣ではないと識別された紙幣がリジェクト紙幣として搬送部２３から送られるようになっており、この機外リジェクト部２７によりリジェクト紙幣を紙幣処理装置２０の外部に投出するようになっている。一方、機内リジェクト部２８には、紙幣処理装置２０の外部に投出することのできないようなリジェクト紙幣が搬送部２３から送られるようになっており、この機内リジェクト部２８にリジェクト紙幣を収納するようになっている。そして、店員等の管理権限のない操作者は機内リジェクト部２８内の紙幣を取り出すことはできないようになっている。
【００３２】
また、筐体２０ａの内部には複数の収納繰出部２５が設けられており、各収納繰出部２５はそれぞれ搬送部２３に接続されている。各収納繰出部２５は、紙幣を金種別に収納するようになっている。より詳細には、識別部２４による識別結果に基づいて、投入部２１から搬送部２３に繰り出された紙幣は当該搬送部２３により各収納繰出部２５に金種別に送られるようになっている。また、各収納繰出部２５は、当該収納繰出部２５に収納された紙幣を１枚ずつ搬送部２３に繰り出すことができるようになっている。具体的には、各収納繰出部２５として、巻き取り式の紙幣収納繰出部が用いられている。巻き取り式の紙幣収納繰出部は、複数の紙幣を１枚ずつ巻き取るための帯状の巻取部材の一端が、例えばその外周面に接続され、回転軸心を中心として回転する略円筒形状のドラムを有するものである。また、紙幣が帯状の巻取部材によりドラムに巻き取られることにより紙幣が収納されるとともに帯状の巻取部材がドラムから巻き戻されることにより収納されている紙幣がドラムから繰り出されるようになっている。
【００３３】
また、本実施の形態による紙幣処理装置２０においては、筐体２０ａの内部には紙幣収納機構３２（図２参照）が設けられている。また、紙幣収納機構３２には、紙幣を積層状態で収納する収納袋３４が着脱自在に取付可能となっており、収納繰出部２５から搬送部２３を経て紙幣収納機構３２に送られた紙幣が収納袋３４内に積層状態で収納されるようになっている。ここで、紙幣を積層状態で収納する収納袋３４は、例えばポリエチレンを材料とした袋であり、紙幣の出し入れを行うための開口が上部に設けられている。また、収納袋３４には小さな空気抜き用の穴が複数設けられている。
【００３４】
なお、各収納繰出部２５に割り当てられていない金種の紙幣や、対応する金種の収納繰出部２５がフル状態のために収納できないオーバーフロー紙幣も収納袋３４内に収納されるようになっている。そして、紙幣が収納された収納袋３４を紙幣収納機構３２から取り出すことにより、紙幣処理装置２０から収納袋３４ごと紙幣の回収を行うようになっている。
【００３５】
次に、このような紙幣処理装置２０における紙幣収納機構３２の構成の詳細について図３乃至図７を用いて説明する。図３は、紙幣収納機構３２の構成の詳細を示す側面図であり、図４は、図３に示す紙幣収納機構３２における一対の保持部材３６等の構成を示す斜視図であり、図５は、図３等に示す紙幣収納機構３２において各保持部材３６により保持される収納袋３４の構成を示す斜視図である。また、図６は、図３等に示す紙幣収納機構３２の各保持部材３６により収納袋３４を保持させたときの状態を示す斜視図であり、図７は、図６に示す収納袋３４に紙幣が収納されることにより当該収納袋３４の開口付近の端部３４ｄが垂れ下がってしまったときの状態を示す斜視図である。
【００３６】
図２および図３に示すように、紙幣収納機構３２の入口側には紙幣導入部７０が設けられている。より詳細には、図３に示すように、紙幣導入部７０は一対のローラ７２、７４を有しており、搬送部２３から紙幣収納機構３２に送られた紙幣は一対のローラ７２、７４の間に形成されるニップ部を通過することにより紙幣収納機構３２に導かれるようになっている。ここで、紙幣導入部７０は、搬送部２３から紙幣収納機構３２に送られた紙幣の反りを矯正するための反り矯正機構として機能するようになっていてもよい。より詳細には、ローラ７２の幅方向における中央近傍に溝部が設けられており、ローラ７４はローラ７２の溝部に入るようになっていてもよい。このことにより、紙幣導入部７０を通過する紙幣の一部の領域をローラ７４によりローラ７２の溝部の中に押し込むことができるようになる。このようにして、各収納繰出部２５から搬送部２３に繰り出された紙幣に対して、折り目等の、反り癖とは異なる癖をつけることができ、よって紙幣の反りを矯正することができるようになる。
【００３７】
図３に示すように、紙幣送り出し部４８は、ローラやベルトを組み合わせたものからなり、当該紙幣送り出し部４８は、紙幣導入部７０により搬送部２３から導かれた紙幣を１枚ずつ一時保留部４４上に送って当該一時保留部４４上に集積させるようになっている。一時保留部４４は左右一対のものからなり、各一時保留部４４の基端部分に設けられた軸４４ａを中心として各一時保留部４４は下方（すなわち、図３における矢印方向）にそれぞれ回転することができるようになっている。
【００３８】
また、図３等に示すように、紙幣収納機構３２において、一対の保持部材３６が互いに対向するよう離間して設けられており、収納袋３４の開口近傍の箇所が各保持部材３６によりそれぞれ保持されるようになっている。ここで、ある保持部材３６（具体的には、例えば図３における左側の保持部材３６）はその位置が固定されているのに対し、別の保持部材３６（具体的には、例えば図３における右側の保持部材３６）は位置固定の保持部材３６に向かって移動することができるようになっている。具体的に説明すると、図４に示すように、左右一対の保持部材３６のうち一方の保持部材３６にはパンタグラフ３７が設けられており、当該パンタグラフ３７により一方の保持部材３６は他方の保持部材３６に向かって移動させられてこれらの保持部材３６が互いに接するようになっている。より詳細には、一方の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、一方の保持部材３６に設けられたガイドピン３６ｐが長穴３６ｑに沿って案内されることにより、当該一方の保持部材３６は他方の保持部材３６に向かって移動させられるようになる。このことにより、一方の保持部材３６の面３６ｂが、他方の保持部材３６の面３６ｂに接するようになる。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接するようになっていてもよい。
【００３９】
また、図４に示すように、左右一対の保持部材３６の上面にはそれぞれ３つのピン３６ａが設けられている。ここで、図５に示すように、各保持部材３６により保持されるべき収納袋３４の開口近傍の箇所（すなわち、収納袋３４の上端部）には、それぞれ３つの開口３４ｂが設けられた一対の突出部３４ａが設けられており、収納袋３４が各保持部材３６により保持される際に、収納袋３４の各突出部３４ａに設けられた各開口３４ｂに各保持部材３６の各ピン３６ａが通されることにより、これらの突出部３４ａが各保持部材３６により保持されるようになっている。
【００４０】
また、図５等に示すように、収納袋３４の外面における開口近傍の箇所には帯状の補強部材３４ｃが設けられている。補強部材３４ｃは、収納袋３４よりコシが強い、ポリエチレンテレフタラートによって形成されている。このような補強部材３４ｃによって、収納袋３４の開口に皺が生じないように力が働くようになっている。ここで、「コシが強い」とは、曲げに対する剛性が大きいことを意味している。なお、補強部材３４ｃとして、収納袋３４よりコシが弱いものが用いられてもよい。この場合でも、収納袋３４は、他部材である補強部材３４ｃが設けられる（貼り付けられる）ことにより、全体的に開口付近のコシが強くなり、開口の皺が抑制されるようになる。
【００４１】
また、図３に示すように、各保持部材３６にはそれぞれ加熱部材３８（封止部）が設けられている。そして、紙幣収納機構３２において各保持部材３６により保持された収納袋３４に所定量の紙幣が収納された後、当該収納袋３４が紙幣収納機構３２から取り出される前に、一方の保持部材３６が他方の保持部材３６に向かって移動してこれらの保持部材３６が互いに接した状態で、加熱部材３８によって収納袋３４の開口近傍の箇所に熱が与えられることにより当該収納袋３４の開口はヒートシール（熱封止）されるようになっている。
【００４２】
また、図３に示すように、紙幣収納機構３２において、各保持部材３６により保持される収納袋３４の少なくとも一部が載置されるステージ４０が設けられている。ステージ４０は左右一対のものからなり、各ステージ４０は図３における上下方向および左右方向にそれぞれ移動可能となっている。より詳細には、図６等に示すように、一対のステージ４０は、各ステージ４０の端部に設けられたヒンジ部４０ａにより互いに連結されており、各ステージ４０は水平面に沿ってヒンジ部４０ａを中心として図６における矢印方向に揺動することができるようになっている。また、各ステージ４０が開いた場合には、これらのステージ４０の間に隙間が形成されるようになる。そして、保持部材３６により保持される収納袋３４の一部を、この隙間を通って各ステージ４０から下方に延びるようにすることができるようになっている。なお、各ステージ４０は電動アクチュエータ等のステージ駆動部４１（図８参照）により駆動されるようになっている。具体的には、ステージ駆動部４１により各ステージ４０が図３における上下方向に移動させられるとともに、水平面に沿ってヒンジ部４０ａを中心として開閉させられるようになっている。なお、上述したように一対のステージ４０はヒンジ部４０ａにより互いに連結されており当該ヒンジ部４０ａを中心として開閉するようになっているが、図３、図９および図１０では、便宜上、ヒンジ部４０ａを中心とした各ステージ４０の開閉動作を、各ステージ４０の左右方向の移動動作で示すようになっている。
【００４３】
また、各ステージ４０にはそれぞれ加熱部材４２（熱接着部材）が設けられている。そして、当該収納袋３４が紙幣収納機構３２から取り出される前に、一方のステージ４０（例えば、図３における右側のステージ４０）が他方のステージ４０（例えば、図３における左側のステージ４０）に向かって移動してこれらのステージ４０が互いに接した状態で、収納袋３４に紙幣を収納したときに底部となる箇所に各加熱部材４２から熱が与えられることにより当該箇所が熱接着されて封止されるようになっている。なお、各加熱部材４２により熱接着されて封止される収納袋３４の箇所は、当該収納袋３４における紙幣の収納量によって変化するようになっている。
【００４４】
図３に示すように、一対の一時保留部４４の上方には押し込み板４６が設けられている。当該押し込み板４６にはパンタグラフ４７が設けられており、このパンタグラフ４７が下方に伸びることによって押し込み板４６は図３に示す状態から下方に移動することができるようになっている。このような押し込み板４６が図３に示す状態から下方に移動することによって、各一時保留部４４に一時的に保留されている紙幣が収納袋３４に収納される際に、各一時保留部４４に残留してしまった紙幣を収納袋３４に向かって押し込むことができるようになる。
【００４５】
また、図３に示すように、一対の保持部材３６のうち右側の保持部材３６の下方には片寄せレバー３９が設けられており、当該片寄せレバー３９により、一対の保持部材３６により保持される収納袋３４に収納された紙幣が当該収納袋３４内で片側に（具体的には、図３における左側に）寄せられるようになっている。より詳細には、片寄せレバー３９はパンタグラフや電動アクチュエータ等からなる片寄せレバー駆動部３９ａ（図８参照）により図３に示す状態から左側に移動させられるようになっている。
【００４６】
また、紙幣収納機構３２において、一対の保持部材３６により保持される収納袋３４の開口の近傍には、当該収納袋３４の内面を撮像するためのカメラやビデオカメラ等の撮像部６０が設けられている。ここで、各保持部材３６により保持される収納袋３４の内面における開口近傍には目印が設けられており、撮像部６０によりこの目印が撮像されるようになっている。また、撮像部６０の近傍には、各保持部材３６により保持される収納袋３４の内面に光を照射する光源６２が設けられている。このような光源６２により収納袋３４の内面に光が照射されることにより、撮像部６０は収納袋３４の内面における開口近傍に形成される目印を鮮明に撮像することができるようになる。
【００４７】
また、本実施の形態による紙幣処理装置２０には、当該紙幣処理装置２０の各構成部材の制御を行う制御部５０が設けられている。より詳細には、図８に示すように、制御部５０には、投入部２１に装着された紙幣受入ユニット２１ａに設けられている紙幣繰出機構２１ｂ、投出部２２に設けられた羽根車２２ａを駆動するための羽根車駆動部２２ｂ、搬送部２３、識別部２４、収納繰出部２５、操作表示部２９、紙幣収納機構３２（具体的には、パンタグラフ３７、加熱部材３８、片寄せレバー駆動部３９ａ、ステージ駆動部４１、加熱部材４２、一時保留部４４、パンタグラフ４７および紙幣送り出し部４８）、記憶部５２、印字部５４、通信インターフェース部５６、撮像部６０、光源６２等がそれぞれ接続されている。そして、識別部２４による紙幣の識別結果や検知結果に係る信号や撮像部６０により撮像された画像が制御部５０に送られるとともに、制御部５０は紙幣処理装置２０の各構成部材に指令信号を送ることによりこれらの構成部材の動作を制御するようになっている。
【００４８】
また、記憶部５２には、紙幣処理装置２０における紙幣の入金処理等の処理履歴や、各収納繰出部２５および収納袋３４に収納されている紙幣の在高等に関する情報が記憶されるようになっている。また、印字部５４は、紙幣処理装置２０における紙幣の入金処理等の処理履歴や、各収納繰出部２５および収納袋３４に収納されている紙幣の在高等に関する情報をレシート等に印字するようになっている。また、制御部５０は通信インターフェース部５６を介して本実施の形態による紙幣処理装置２０とは別に設けられた外部装置（具体的には、例えば上位端末）に対して信号の送受信を行うことができるようになっている。具体的には、制御部５０は通信インターフェース部５６を介して記憶部５２に記憶されている情報を紙幣処理装置２０とは別に設けられた外部装置に送信することができるようになっている。例えば、警送会社の警備員等が収納袋３４ごと紙幣を回収する際に、回収された紙幣に関する情報が通信インターフェース部５６により警送会社のコンピュータ等に送信されるようになっている。
【００４９】
次に、紙幣収納機構３２において、搬送部２３から紙幣収納機構３２に送られた紙幣を一対の保持部材３６により保持されている収納袋３４に収納させる際の動作について簡単に説明する。
【００５０】
搬送部２３から紙幣収納機構３２に送られた紙幣は紙幣送り出し部４８により左右一対の一時保留部４４上に１枚ずつ送られ、これらの一時保留部４４上に積層状態で集積される。そして、所定の枚数の紙幣が各一時保留部４４上に集積されると、各一時保留部４４はその基端部分に設けられた軸４４ａを中心としてそれぞれ下方（すなわち、図３における矢印方向）に回転し、各一時保留部４４上に集積されている紙幣は自重によりこれらの一時保留部４４から落下して収納袋３４に積層状態で収納されるようになる。また、各一時保留部４４から紙幣が落下して収納袋３４に収納されると、各ステージ４０がステージ駆動部４１により下方に移動させられ、次に各一時保留部４４から収納袋３４に送られる紙幣の収納空間が当該収納袋３４の内部に形成されるようになる。各ステージ４０がステージ駆動部４１により下方に移動させられる移動量は、各一時保留部４４から収納袋３４に送られる紙幣の量に基づいて決定される。これにより、収納空間は常に一定の大きさになる。例えば、鉛直方向における、収納袋３４に収納されている紙幣の上端と、各保持部材３６に設けられた各加熱部材３８との間の距離を６０ｍｍとするように、各ステージ４０が移動される。また、本実施の形態では、制御部５０は、各保持部材３６により保持される収納袋３４の内部に紙幣を送って当該収納袋３４に紙幣を収納させる際に、一時保留部４４に保留される紙幣を押し込み板４６により収納袋３４の内部に押し込むようパンタグラフ４７を制御するようになっている。このことにより、各一時保留部４４に紙幣が残留した場合でも、このような残留している紙幣を各一時保留部４４から落下させて収納袋３４に収納させることができるようになる。
【００５１】
また、各保持部材３６により保持される収納袋３４に紙幣が収納される際に、撮像部６０により収納袋３４の内面における開口近傍の箇所に設けられた目印が常に撮像されるようになっている。そして、収納袋３４に所定量の紙幣が収納され、撮像部６０により撮影される画像において収納袋３４に収納された紙幣によって目印が遮られてこの目印が撮像部６０により撮像されなくなると、制御部５０は当該収納袋３４の紙幣の収納状態が異常であると判断する。異常な収納状態とは、収納袋３４の開口付近で紙幣が立った状態で収納されていたり、折れ曲がった紙幣が収納されていたりするような状態である。このように、撮像部６０により撮影される画像に基づいて収納異常を検知することができるため、後述するように図３における右側の保持部材３６が左側の保持部材３６に向かって移動して加熱部材３８により収納袋３４の開口をヒートシール（熱封止）する際に、収納袋３４に収納されている紙幣が各保持部材３６により挟まれてしまい当該収納袋３４の開口において未シール箇所が発生してしまうことを抑制することができる。なお、押し込み板４６による一時保留部４４の押し込み動作に基づいて、収納異常が制御部５０により判断されるようになっていてもよい。より詳細には、収納異常の場合には、一時保留部４４の可動域（図３における矢印参照）の中に収納袋３４に収納された紙幣が存在するようになる。この場合には、一時保留部４４を押し込み板４６により収納袋３４に押し込んだときに一時保留部４４の端部が収納袋３４に収納された紙幣と接触するため、一時保留部４４を収納袋３４の内部にそれ以上押し込むことができなくなる。このことに基づいて、収納異常を判断することができるようになる。また、一時保留部４４が図３に示す位置よりも上方に設けられており、一時保留部４４の可動域の中に収納袋３４に収納された紙幣が存在することがない場合にも、押し込み板４６の押し込み動作に基づいて、収納異常が制御部５０により判断されるようになっていてもよい。より詳細には、収納異常の場合には、押し込み板４６により一時保留部４４に保留された紙幣を収納袋３４の内部に押し込む際に、この押し込み板４６を収納袋３４に向かって動かすことのできる距離は、収納状態が正常な場合よりも短いものとなる。このことに基づいて、収納異常を判断することができるようになる。
【００５２】
封止処理が開始されると、各保持部材３６により保持される収納袋３４の開口が封止されるようになっている。封止処理は、操作表示部２９から入力される指示に基づいて開始される。また、封止処理は、外部装置から入力される指示に基づいて開始されてもよい。また、封止処理は、収納袋３４に収納された紙幣の量が所定量となったことに基づいて開始されてもよい。所定量は、所定の枚数や所定の金額とすることができる。所定の枚数は、収納袋３４がフル状態またはニアフル状態となる枚数でもよい。また、封止処理は、時刻に基づいて開始されてもよい。ここで、入力される指示や時刻に基づいて封止処理が開始される場合は、封止処理の開始の前処理として、収納繰出部２５の紙幣を紙幣収納機構３２に搬送して収納袋３４に収納する回収処理を実行してもよい。回収処理は、収納繰出部２５に収納された紙幣をできるだけ回収するようにしてもよい。その場合は、収納袋３４に収納できる紙幣の枚数や金額に上限を設定しておくことが好ましい。また、回収処理は、収納袋３４に収納された紙幣の枚数や金額が所定の値になるように回収してもよい。また、回収処理は、収納繰出部２５に所定の枚数や所定の金額の紙幣を残し、それ以外の紙幣を回収してもよい。そして、収納袋３４の開口が封止された後、当該収納袋３４は操作者の手により紙幣収納機構３２から取り出されるようになる。ここで、各保持部材３６により保持される収納袋３４の開口を封止する封止処理の動作の詳細について図９および図１０を用いて以下に説明する。なお、以下に示すような封止処理の動作は、制御部５０が紙幣収納機構３２の各構成部材を制御することにより行われるようになっている。また、図９および図１０において、収納袋３４に収納されている紙幣を参照符号Ｐで示している。
【００５３】
図９（ａ）に示すように、封止処理が開始されると、制御部５０は、ステージ駆動部４１によって各ステージ４０を所定距離だけ下降させる（図９（ｂ）の矢印参照）。このことにより、鉛直方向における、収納袋３４に収納されている紙幣の上端と、各保持部材３６に設けられた各加熱部材３８との間の距離を所定の大きさ以上とすることができるようになる。よって、後述するように各保持部材３６が接近してこれらの保持部材３６の間に収納袋３４の開口近傍の箇所が挟まれた後に各加熱部材３８によって収納袋３４の開口が熱封止される際に、収納袋３４に収納されている紙幣が各保持部材３６の間に挟まれてしまい当該紙幣が各加熱部材３８に接触してしまうことによって未シール箇所が発生してしまうことを抑制することができる。具体的には、封止処理が開始される前において、収納袋３４に収納されている紙幣の上端と、各保持部材３６に設けられた各加熱部材３８との間の距離は、例えば６０ｍｍである。封止処理が開始されると、制御部５０は、ステージ駆動部４１によって各ステージ４０を、例えば４０ｍｍだけ下降させる。これにより、収納袋３４に収納されている紙幣の上端と、各保持部材３６に設けられた各加熱部材３８との間の距離は、例えば１００ｍｍになる。
【００５４】
制御部５０は、ステージ駆動部４１によって各ステージ４０を所定距離だけ下降させた後、図９（ｃ）に示すように各保持部材３６の間に収納袋３４が挟まれない程度に各保持部材３６の間の距離を小さくする。具体的には、右側の保持部材３６を左側の保持部材３６に接近する方向に移動させる。その後、図９（ｄ）に示すように各ステージ４０を接近する方向に移動させ、各ステージ４０によって収納袋３４の底部近傍の箇所を挟むようにする。具体的には、制御部５０は、右側のステージ４０を左側のステージ４０に接近する方向に移動させる。なお、各保持部材３６の間の距離が小さくなるよう右側の保持部材３６を左側の保持部材３６に接近する方向に移動させる際に、各保持部材３６を互いに接触させるのではなく、各保持部材３６の間にわずかな隙間が生じるようにする。そして、図９（ｅ）に示すようにステージ駆動部４１によって各ステージ４０を所定距離だけ上昇させる。各ステージ４０を上昇させる距離は、先に各ステージ４０を下降させた距離（図９（ｂ）参照）より小さい。例えば、各ステージ４０を上昇させる距離は１０ｍｍである。これにより、収納袋３４にかかる鉛直方向のテンションを低減できる。その後、図９（ｆ）に示すように、各保持部材３６を更に接近する方向に移動させることによって収納袋３４の開口近傍の箇所を各保持部材３６により挟むようにする。具体的には、右側の保持部材３６を更に左側の保持部材３６に接近する方向に移動させる。また、片寄せレバー駆動部３９ａによって片寄せレバー３９も図３における左方向に移動させてもよい。このことにより、収納袋３４に収納されている紙幣は当該片寄せレバー３９により収納袋３４の外側から片側（具体的には、左側）に寄せられるようになる。ここで、各ステージ４０を所定距離だけ上昇させる前に、図９（ｃ）に示すように各保持部材３６の間の距離が小さくなるよう保持部材３６を移動させ、収納袋３４の開口部の張力を低減できる。これにより、各ステージ４０を所定距離だけ上昇させたときに、収納袋３４の端部３４ｄが垂れ下がった状態が修正されやすくなる。また、各保持部材３６の間の距離が小さくなることにより、各ステージ４０を上昇させたときに収納袋３４の開口から紙幣が飛び出すことを防止できる。また、収納袋３４の開口近傍の箇所を各保持部材３６により挟む前は、収納袋３４の開口部がある程度自由な状態なので、各ステージ４０を所定距離だけ上昇させたときに収納袋３４の端部３４ｄが垂れ下がった状態を確実に修正することができる。
【００５５】
収納袋３４の端部３４ｄが垂れ下がってしまうという現象について図７を用いて説明する。図７において収納袋３４の端部３４ｄが垂れ下がっていないときの状態を二点鎖線で示すとともに、収納袋３４の端部３４ｄが垂れ下がってしまったときの状態を実線で示している。収納袋３４に紙幣を収納することにより、収納袋３４に収納されている紙幣の負荷が当該収納袋３４の開口付近の箇所にかかり、当該収納袋３４の両端部３４ｄがそれぞれ垂れ下がってしまうおそれがある。このように収納袋３４の端部３４ｄが垂れ下がってしまうと、収納袋３４の開口を各加熱部材３８により熱封止する際にシール不良が発生してしまうという問題がある。これに対し、本実施の形態では、各ステージ４０を所定距離だけ上昇させる前に、図９（ｃ）に示すように各保持部材３６の間に収納袋３４が挟まれない程度に各保持部材３６の間の距離が小さくなるよう右側の保持部材３６を左側の保持部材３６に接近する方向に移動させたり、収納袋３４の開口近傍の箇所を各保持部材３６により挟む前に、図９（ｅ）に示すように各ステージ４０を所定距離だけ上昇させたりすることにより、収納袋３４の端部３４ｄが垂れ下がってしまうことを抑制することができるようになる。
【００５６】
制御部５０は、図９（ｆ）に示すように右側の保持部材３６と左側の保持部材３６を接近する方向に移動させることによって収納袋３４の開口近傍の箇所を各保持部材３６により挟む。具体的には、右側の保持部材３６を更に左側の保持部材３６に接近する方向に移動させる。その後、制御部５０は、図１０（ａ）に示すようにステージ駆動部４１によって各ステージ４０を所定距離だけ更に上昇させる。各ステージ４０を上昇させる距離は、先に各ステージ４０を下降させた距離（図９（ｂ）参照）より小さい。例えば、各ステージ４０を上昇させる距離は１０ｍｍである。そして、図１０（ｂ）に示すような状態で各加熱部材３８により収納袋３４の開口を熱封止し、その後に、収納袋３４に紙幣を収納したときに底部となる箇所を各加熱部材４２により熱接着して封止する。ここで、図９（ｆ）に示すように収納袋３４の開口近傍の箇所を各保持部材３６により挟んだ状態では、収納袋３４にかかるテンションを完全には除去できていない場合がある。また、右側の保持部材３６を左側の保持部材３６に向かって移動させた場合には収納袋３４にかかるテンションが大きくなってしまい、各加熱部材３８によって収納袋３４の開口を適切に熱封止できなくなってしまうおそれがある。しかしながら、本実施の形態では、収納袋３４の開口近傍の箇所を各保持部材３６により挟んだ後、ステージ駆動部４１によって各ステージ４０を所定距離だけ更に上昇させることにより、収納袋３４にかかるテンションを緩和または除去することができるようになる。また、本実施の形態では、各加熱部材３８により収納袋３４の開口を熱封止した後に、収納袋３４に紙幣を収納したときに底部となる箇所を各加熱部材４２により熱接着して封止するため、封止処理を行う途中で何らかのトラブルが生じてしまい当該封止処理が中断された場合でも、収納袋３４の開口を先に熱封止することによって当該収納袋３４から悪意ある操作者によって紙幣が抜き取られてしまうことを防止することができるようになる。
【００５７】
次に、制御部５０は、図１０（ｃ）に示すように各ステージ４０が互いに離間するようステージ駆動部４１によって各ステージ４０を移動させる。具体的には、右側のステージ４０を左側のステージ４０から遠ざかる方向に移動させる。その後、制御部５０は、図１０（ｄ）に示すようにステージ駆動部４１によって各ステージ４０を更に上昇させる。各ステージ４０を上昇させる距離は、先に各ステージ４０を下降させた距離（図９（ｂ）参照）より小さい。例えば、各ステージ４０を上昇させる距離は１０ｍｍである。また、図９（ｅ）と図１０（ａ）と図１０（ｄ）に示すように、制御部５０は、封止処理において、各ステージ４０を複数の段階に分けて上昇させるが、各ステージ４０を上昇させる距離の合計は、先に各ステージ４０を下降させた距離（図９（ｂ）参照）より小さい。例えば、各ステージ４０を上昇させる距離の合計は３０ｍｍである。ここで、各加熱部材３８により収納袋３４の開口を熱封止した後に各ステージ４０を上昇させることにより、収納袋３４の内部にある余分な空気を抜くことができるようになり、当該収納袋３４の容積を小さくすることができるようになる。後述するように紙幣収納機構３２から収納袋３４が取り出された後、当該収納袋３４は例えば操作者によってバンド等により縛られるようになるが、収納袋３４の内部にある余分な空気を抜いて当該収納袋３４の容積を小さくしておくと、収納袋３４をバンド等により縛る作業を容易に行うことができるようになる。
【００５８】
そして、制御部５０は、図１０（ｄ）に示すように各ステージ４０を上昇させた後、図１０（ｅ）に示すように各保持部材３６が離間するよう各保持部材３６を移動させる。具体的には、右側の保持部材３６を左側の保持部材３６から遠ざかる方向に移動させる。その後、収納袋３４を各保持部材３６から取り外すことにより、紙幣収納機構３２の各保持部材３６の上方側から収納袋３４を上方向に取り出すことができるようになる。
【００５９】
以上のように、本実施の形態の紙幣処理装置２０によれば、各保持部材３６により保持される収納袋３４の開口を封止する封止処理が行われる際に、各保持部材３６により保持される収納袋３４の少なくとも一部が載置されている各ステージ４０を上昇させるようになっている。このことにより、鉛直方向における各保持部材３６により保持される収納袋３４の上端と収納袋３４に紙葉類を収納したときに底部となる箇所との間の距離を小さくすることができるため、封止処理を適切に行うことができるようになる。より詳細には、収納袋３４の開口近傍の箇所を各保持部材３６により挟む前に、各ステージ４０を所定距離だけ上昇させる。また、収納袋３４の開口近傍の箇所を各保持部材３６により挟んだ後に、各ステージ４０を所定距離だけ更に上昇させる。このことにより、収納袋３４にかかるテンションを緩和することができることができる。また、収納袋３４の端部３４ｄが垂れ下がってしまうことを抑制することができる。よって各加熱部材３８によって収納袋３４の開口を適切に熱封止することができるようになる。また、各加熱部材３８により収納袋３４の開口を熱封止した後に各ステージ４０を上昇させることにより、収納袋３４の内部にある余分な空気を抜くことができるようになり、当該収納袋３４の容積を小さくすることができるようになる。
【００６０】
なお、本実施の形態による紙幣処理装置２０や紙幣処理方法（具体的には、各保持部材３６により保持される収納袋３４の開口を封止する封止処理の方法）は、上記の態様に限定されることはなく、様々な変更を加えることができる。
【００６１】
例えば、変形例に係る紙幣処理装置では、上部および下部にそれぞれ開口が設けられた筒形状の収納袋が保持部により保持されるとともに、当該保持部に保持される収納袋に紙幣が収納されるようになっていてもよい。この場合でも、本発明の原理を上述した変形例に係る紙幣処理装置に適用することができるようになる。
【００６２】
また、本実施の形態における他の態様では、収納袋の開口を加熱部材により熱封止する代わりに、収納袋の開口を接着剤により接着させて封止するようにしてもよい。具体的には、紙幣が収納される収納袋として、その内面における開口に接着剤が設けられたものが用いられてもよい。この場合には、収納袋の開口を接着剤により接着することによって収納袋の開口を封止することができるようになる。
【００６３】
また、図９および図１０に示すような封止処理の方法では、各保持部材３６により保持される収納袋３４の開口を各加熱部材３８により封止する前後でステージ４０を３段階（図９（ｅ）、図１０（ａ）および図１０（ｄ）参照）に分けて上昇させているが、本実施の形態はこのような態様に限定されることはない。本実施の形態における他の態様では、図９（ｅ）、図１０（ａ）および図１０（ｄ）に対応する３段階のステージ４０の上昇動作のうち少なくとも１段階のステージ４０の上昇動作または２段階のステージ４０の上昇動作が行われるようになっていてもよい。より詳細には、例えば、図１０（ｄ）に示すようなステージ４０の上昇動作が省略され、各保持部材３６により保持される収納袋３４の開口を各加熱部材３８により封止する前に図９（ｅ）および図１０（ａ）に示すような２段階のステージ４０の上昇動作が行われるようになっていてもよい。また、更に別の例では、各保持部材３６により保持される収納袋３４の開口を各加熱部材３８により封止する前に、図９（ｅ）に示すようなステージ４０の上昇動作および図１０（ａ）に示すようなステージ４０の上昇動作のうちいずれか一方の動作のみが行われるようになっていてもよい。
【００６４】
また、本実施の形態における他の態様では、図９（ｃ）に示すような動作が省略されるようになっていてもよい。すなわち、図９（ｂ）に示すように各ステージ４０を下降させた後、右側の保持部材３６を左側の保持部材３６に向かって移動させることにより各保持部材３６によって収納袋３４の開口近傍の箇所を挟むようにし、その後に各ステージ４０を上昇させるようにしてもよい。この場合でも、各保持部材３６により保持される収納袋３４の開口近傍の箇所を封止する前に各ステージ４０を上昇させることにより、収納袋３４にかかるテンションを緩和することができることができ、よって各加熱部材３８によって収納袋３４の開口近傍の箇所を適切に熱封止することができるようになる。
【００６５】
また、本実施の形態における他の態様では、収納袋３４の開口を熱によって接着することにより封止する加熱部材が各保持部材３６とは別の部材とされていてもよい。また、本実施の形態における更に他の態様では、収納袋３４に紙幣を収納したときに底部となる箇所を熱によって接着して封止する熱接着部材が各ステージ４０とは別の部材とされていてもよい。また、本実施の形態における更に他の態様では、収納袋３４に紙幣を収納したときに底部となる箇所を封止しなくてもよい。この場合には、各ステージ４０等に加熱部材が設けられないようになる。また、本実施の形態における他の態様では、収納袋３４に紙幣を積層状態で集積することなく、紙幣を任意の姿勢で収納してもよい。例えば、収納袋３４の開口から内部へ、紙幣を１枚ずつ落下させるような態様でもよい。
【００６６】
また、収納袋の内部に紙幣を収納させる紙幣収納機構として、図３等に示すような収納袋の内部に紙幣が鉛直方向に沿って並ぶよう集積されるような態様以外のものが用いられてもよい。例えば、変形例に係る紙幣収納機構において、収納袋の内部に紙幣が水平方向に沿って並ぶよう集積されるようになっていてもよい。このような紙幣収納機構および当該紙幣収納機構において紙幣が収納された収納袋の開口の封止を行うときの動作について図１１および図１２を用いて説明する。
【００６７】
図１１等に示すように、変形例に係る紙幣収納機構１３２において、一対の保持部材１３６が互いに対向するよう上下に離間して設けられており、収納袋１３４の開口近傍の箇所が各保持部材１３６によりそれぞれ保持されるようになっている。ここで、ある保持部材１３６（具体的には、例えば図１１等における下側の保持部材１３６）はその位置が固定されているのに対し、別の保持部材１３６（具体的には、例えば図１１等における上側の保持部材１３６）は位置固定の保持部材１３６に向かって移動することができるようになっている。そして、上側の保持部材１３６が下側の保持部材１３６に向かって移動するとこれらの保持部材１３６が互いに接するようになっている。また、上側の保持部材１３６には加熱部材１３８（封止部）が設けられている。そして、紙幣収納機構１３２において各保持部材１３６により保持された収納袋１３４に所定量の紙幣が収納された後、当該収納袋１３４が紙幣収納機構１３２から取り出される前に、上側の保持部材１３６が下側の保持部材１３６に向かって移動してこれらの保持部材１３６が互いに接した状態で、加熱部材１３８によって収納袋１３４の開口近傍の箇所に熱が与えられることにより当該収納袋１３４の開口はヒートシール（熱封止）されるようになっている。なお、図１１等では上側の保持部材１３６に加熱部材１３８が設けられている例が示されているが、上側の保持部材１３６および下側の保持部材１３６にそれぞれ加熱部材１３８が設けられていてもよい。
【００６８】
また、図１１等に示すように、紙幣収納機構１３２において、各保持部材１３６により保持される収納袋１３４の底部の近傍には上下一対のステージ１４０が設けられている。ここで、各ステージ１４０は図１１等における上下方向および左右方向にそれぞれ移動可能となっている。また、各ステージ１４０が互いに離間している場合には、保持部材１３６により保持される収納袋１３４の一部を、各ステージ１４０の間の隙間を通って各ステージ１４０から右方に延びるようにすることができるようになっている。なお、各ステージ１４０は電動アクチュエータ等のステージ駆動部（図示せず）により駆動されるようになっている。具体的には、ステージ駆動部により上側のステージ１４０が下側のステージ１４０に対して図１１等における上下方向に移動させられるとともに、各ステージ１４０が図１１等における左右方向に移動させられるようになっている。また、上側のステージ１４０には加熱部材１４２（熱接着部材）が設けられている。そして、当該収納袋１３４が紙幣収納機構１３２から取り出される前に、上側のステージ１４０が下側のステージ１４０に向かって移動してこれらのステージ１４０が互いに接した状態で、収納袋１３４に紙幣を収納したときに底部となる箇所に加熱部材１４２から熱が与えられることにより当該箇所が熱接着されて封止されるようになっている。なお、加熱部材１４２により熱接着される収納袋１３４の箇所は、当該収納袋１３４における紙幣の収納量によって変化するようになっている。また、図１１等では上側のステージ１４０に加熱部材１４２が設けられている例が示されているが、上側のステージ１４０および下側のステージ１４０にそれぞれ加熱部材１４２が設けられていてもよい。
【００６９】
図１１等に示すように、紙幣収納機構１３２において、各保持部材１３６に保持されている収納袋１３４に収納される前の紙幣を一時的に保留する上下一対の一時保留部１４４および各一時保留部１４４により保留される紙幣が立位状態で載置される載置台１４５が設けられている。上下一対の一時保留部１４４のうち上側の一時保留部１４４は当該一時保留部１４４の上端部分に設けられた軸を中心として収納袋１３４の内部側に（すなわち、図１１等における右側に）回転することができるようになっている。また、下側の一時保留部１４４は当該一時保留部１４４の下端部分に設けられた軸を中心として収納袋１３４の内部側に（すなわち、図１１等における右側に）回転することができるようになっている。また、載置台１４５には図１１等における各一時保留部１４４の左側に位置する紙幣（すなわち、各保持部材１３６に保持されている収納袋１３４に収納される前の紙幣）が立位状態で載置されるようになっている。また、図１１等に示すように、一対の一時保留部１４４の左方には押し込み板１４６が設けられている。当該押し込み板１４６の左側端部にはパンタグラフ（図示せず）が設けられており、このパンタグラフが右方に伸びることによって押し込み板１４６は図１１等に示す状態から右方に移動することができるようになっている。このような押し込み板１４６が図１１等に示す状態から右方に移動することによって、各一時保留部１４４に一時的に保留されている紙幣（すなわち、載置台１４５に立位状態で載置されている紙幣）が収納袋１３４の内部に向かって押し込まれ、当該収納袋１３４に収納されるようになる。また、図１１等に示す紙幣収納機構１３２において、各構成部材の制御を行う制御部（図示せず）が設けられている。
【００７０】
次に、図１１および図１２に示す紙幣収納機構１３２において、一対の保持部材１３６により保持されている収納袋１３４に紙幣を収納させる際の動作について簡単に説明する。
【００７１】
紙幣収納機構１３２の外部から当該紙幣収納機構１３２に送られた紙幣は上下一対の一時保留部１４４の左側において載置台１４５に立位状態で載置されるようになる。そして、所定の枚数の紙幣が載置台１４５に立位状態で載置されると、押し込み板１４６に設けられたパンタグラフが図１１等における右方に伸びることによって押し込み板１４６は図１１等に示す状態から右方に移動する。このことにより、各一時保留部１４４はその基端部分に設けられた軸を中心としてそれぞれ図１１等における右側に回転し、載置台１４５に立位状態で載置されている紙幣は押し込み板１４６により収納袋１３４の内部に向かって押し込まれ、当該収納袋１３４に収納されるようになる。紙幣を押し込み板１４６により収納袋１３４の内部に向かって押し込むため、一対の保持部材１３６により保持されている収納袋１３４の開口部には、紙幣を収納する方向のテンションがかかる。
【００７２】
そして、封止処理が開始されると、各保持部材１３６により保持される収納袋１３４の開口が封止されるようになっている。封止処理を開始するための操作や条件は、図３等に示すような収納袋３４の内部に紙幣が鉛直方向に沿って並ぶよう集積されるような態様と同じである。また、収納袋１３４の開口が封止された後、当該収納袋１３４は操作者の手により紙幣収納機構１３２から取り出されるようになる。ここで、各保持部材１３６により保持される収納袋１３４の開口を封止する封止処理の動作の詳細について図１１および図１２を用いて以下に説明する。なお、図１１および図１２において、収納袋１３４に収納されている紙幣を参照符号Ｐで示している。
【００７３】
図１１（ａ）に示すように、封止処理が開始されると、図示しないステージ駆動部によって各ステージ１４０が所定距離だけ各保持部材１３６から遠ざかる方向（すなわち、図１１等における右方向）に移動させられる（図１１（ｂ）の矢印参照）。また、各ステージ１４０が移動させられた後、収納袋１３４に収納されている紙幣が押し込み板１４６によって当該収納袋１３４の更に内部に押し込まれる。このことにより、図１１等の左右方向における、収納袋１３４に収納されている紙幣の左側端部と、保持部材１３６に設けられた加熱部材１３８との間の距離を所定の大きさ以上とすることができるようになる。よって、後述するように各保持部材１３６が接近してこれらの保持部材１３６の間に収納袋１３４の開口近傍の箇所が挟まれた後に加熱部材１３８によって収納袋１３４の開口が熱封止される際に、収納袋１３４に収納されている紙幣が各保持部材１３６の間に挟まれてしまい当該紙幣が加熱部材１３８に接触してしまうことによって未シール箇所が発生してしまうことを抑制することができる。
【００７４】
制御部（図示せず）は、各ステージ１４０を所定距離だけ各保持部材１３６から遠ざかる方向（すなわち、図１１等における右方向）に移動させる。その後、図１１（ｃ）に示すように各保持部材１３６の間に収納袋１３４が挟まれない程度に各保持部材１３６の間の距離を小さくする。具体的には、上側の保持部材１３６を下側の保持部材１３６に接近する方向に移動させる。その後、図１１（ｄ）に示すように各ステージ１４０を接近する方向に移動させ、各ステージ１４０によって収納袋１３４の底部近傍の箇所を挟むようにする。具体的には、上側のステージ１４０を下側のステージ１４０に接近する方向（すなわち、図１１等における下方向）に移動させる。なお、各保持部材１３６の間の距離が小さくなるよう上側の保持部材１３６を下側の保持部材１３６に接近する方向に移動させる際に、各保持部材１３６を互いに接触させるのではなく、各保持部材１３６の間にわずかな隙間が生じるようにする。そして、図１１（ｅ）に示すようにステージ駆動部（図示せず）によって各ステージ１４０を所定距離だけ各保持部材１３６に近づく方向に移動させる。これにより、収納袋１３４の開口部にかかっているテンションを低減することができる。その後、図１１（ｆ）に示すように各保持部材１３６を接近する方向に移動させることによって収納袋１３４の開口近傍の箇所を各保持部材１３６により挟むようにする。具体的には、上側の保持部材１３６を更に下側の保持部材１３６に接近する方向に移動させる。
【００７５】
制御部は、図１１（ｆ）に示すように上側の保持部材１３６と下側の保持部材１３６を接近する方向に移動させることによって収納袋１３４の開口近傍の箇所を各保持部材１３６により挟む。具体的には、上側の保持部材１３６を更に下側の保持部材１３６に接近する方向に移動させる。その後、図１２（ａ）に示すようにステージ駆動部（図示せず）によって各ステージ１４０を所定距離だけ更に各保持部材１３６に近づく方向（すなわち、図１２における左方向）に移動させる。これにより、収納袋１３４の開口部にかかっているテンションを更に低減することができる。そして、図１２（ｂ）に示すような状態で加熱部材１３８により収納袋１３４の開口を熱封止し、その後に、収納袋１３４に紙幣を収納したときに底部となる箇所を加熱部材１４２により熱接着して封止する。ここで、図１１（ｆ）に示すように収納袋１３４の開口近傍の箇所を各保持部材１３６により挟んだ状態では、収納袋３４にかかるテンションを完全には除去できていない場合がある。また、上側の保持部材１３６を下側の保持部材１３６に向かって移動させた場合には収納袋１３４にかかるテンションが大きくなってしまい、加熱部材１３８によって収納袋１３４の開口を適切に熱封止できなくなってしまうおそれがある。しかしながら、図１１および図１２に示す例では、収納袋１３４の開口近傍の箇所を各保持部材１３６により挟んだ後、各ステージ１４０を所定距離だけ更に各保持部材１３６に近づく方向に移動させることにより、収納袋１３４にかかるテンションを緩和または除去することができるようになる。また、加熱部材１３８により収納袋１３４の開口を熱封止した後に、収納袋１３４に紙幣を収納したときに底部となる箇所を加熱部材１４２により熱接着して封止するため、封止処理を行う途中で何らかのトラブルが生じてしまい当該封止処理が中断された場合でも、収納袋１３４の開口を先に熱封止することによって当該収納袋１３４から悪意ある操作者によって紙幣が抜き取られてしまうことを防止することができるようになる。
【００７６】
次に、制御部は、図１２（ｃ）に示すように各ステージ１４０が互いに離間するようステージ駆動部（図示せず）によって各ステージ１４０を移動させる。具体的には、上側のステージ１４０を下側のステージ１４０から遠ざかる方向に移動させる。その後、図１２（ｄ）に示すようにステージ駆動部によって各ステージ１４０を更に各保持部材１３６に近づく方向（すなわち、図１２における左方向）に移動させる。ここで、加熱部材１３８により収納袋１３４の開口を熱封止した後に各ステージ１４０を各保持部材１３６に近づく方向に移動させることにより、収納袋１３４の内部にある余分な空気を抜くことができるようになり、当該収納袋１３４の容積を小さくすることができるようになる。
【００７７】
そして、制御部は、図１２（ｄ）に示すように各ステージ１４０を各保持部材１３６に近づく方向に移動させた後、図１２（ｅ）に示すように各保持部材１３６を離間するように移動させる。具体的には、上側の保持部材１３６を下側の保持部材１３６から遠ざかる方向に移動させる。その後、収納袋１３４を各保持部材１３６から取り外すことにより、紙幣収納機構１３２の各保持部材１３６の左方側から収納袋１３４を左方向に取り出すことができるようになる。
【００７８】
以上のように、図１１等に示すような変形例に係る紙幣収納機構１３２を備えた紙幣処理装置によれば、各保持部材１３６により保持される収納袋１３４の開口を封止する封止処理が行われる際に、各保持部材１３６により保持される収納袋１３４の少なくとも一部が面する各ステージ１４０を各保持部材１３６に近づく方向に移動させるようになっている。このことにより、図１１等における左右方向（すなわち、収納袋１３４の内部における紙幣の集積方向）における各保持部材１３６により保持される収納袋１３４の上端と当該収納袋１３４における各ステージ１４０に面する部分との間の距離を小さくすることができるため、封止処理を適切に行うことができるようになる。より詳細には、収納袋１３４の開口近傍の箇所を各保持部材１３６により挟んだ後に、各ステージ１４０を所定距離だけ更に各保持部材１３６に近づく方向に移動させることにより、収納袋１３４にかかるテンションを緩和することができることができ、よって加熱部材１３８によって収納袋１３４の開口を適切に熱封止することができるようになる。また、加熱部材１３８により収納袋１３４の開口を熱封止した後に各ステージ１４０を各保持部材１３６に近づく方向に移動させることにより、収納袋１３４の内部にある余分な空気を抜くことができるようになり、当該収納袋１３４の容積を小さくすることができるようになる。
【００７９】
また、上記の説明では、バックヤード領域に設置された貨幣処理機１の紙幣処理装置２０に収納袋が着脱自在に装着される例について説明したが、このような態様に限定されることはない。例えば、本発明に係る原理がフロント領域に設置された現金精算装置の紙幣処理装置に適用されるようになっていてもよい。
【００８０】
また、本発明に係る紙葉類処理装置は紙幣以外の紙葉類（例えば、小切手および商品券等）の処理を行うものであってもよい。言い換えると、図３等に示すような紙幣収納機構３２が紙幣以外の紙葉類の処理を行う場合にも本発明の原理が適用されるようになっていてもよい。この場合であっても、保持部（例えば、各保持部材３６）により保持される収納袋３４の開口を封止する封止処理が行われる際に、保持部により保持される収納袋３４の少なくとも一部が載置されている載置部（各ステージ４０）を下降させた後、当該載置部を上昇させることにより、鉛直方向における保持部により保持される収納袋３４の上端と当該収納袋３４における載置部に載置される部分との間の距離を小さくすることができるため、封止処理を適切に行うことができるようになる。
【符号の説明】
【００８１】
１      貨幣処理機
２０    紙幣処理装置
２０ａ  筐体
２１    投入部
２１ａ  紙幣受入ユニット
２１ｂ  紙幣繰出機構
２２    投出部
２２ａ  羽根車
２２ｂ  羽根車駆動部
２３    搬送部
２３ａ  端部
２４    識別部
２５    収納繰出部
２７    機外リジェクト部
２８    機内リジェクト部
２９    操作表示部
３２    紙幣収納機構
３４    収納袋
３４ａ  突出部
３４ｂ  開口
３４ｃ  補強部材
３４ｄ  端部
３６    保持部材
３６ａ  ピン
３６ｂ  面
３６ｋ  枠体
３６ｐ  ガイドピン
３６ｑ  長穴
３７    パンタグラフ
３８    加熱部材
３９    レバー
３９ａ  レバー駆動部
４０    ステージ
４０ａ  ヒンジ部
４１    ステージ駆動部
４２    加熱部材
４４    一時保留部
４４ａ  軸
４６    押し込み板
４７    パンタグラフ
４８    紙幣送り出し部
５０    制御部
５２    記憶部
５４    印字部
５６    通信インターフェース部
６０    撮像部
６２    光源
７０    紙幣導入部
７２、７４  ローラ
９０    硬貨処理装置
１３２  紙幣収納機構
１３４  収納袋
１３６  保持部材
１３８  加熱部材
１４０  ステージ
１４２  加熱部材
１４４  一時保留部
１４５  載置台
１４６  押し込み板
【図１】
2018181137.tif 000003
【図２】
2018181137.tif 000004
【図３】
2018181137.tif 000005
【図４】
2018181137.tif 000006
【図５】
2018181137.tif 000007
【図６】
2018181137.tif 000008
【図７】
2018181137.tif 000009
【図８】
2018181137.tif 000010
【図９】
2018181137.tif 000011
【図１０】
2018181137.tif 000012
【図１１】
2018181137.tif 000013
【図１２】
2018181137.tif 000014